(57)【要約】【課題】プラスチックボトル容器の重量が指に効果的に掛かり、プラスチックボトル容器が指にしっかりと乗ることで持ち易さを向上させた把持部を備えるプラスチックボトル容器を提供する。【解決手段】プラスチックボトル容器１は、内方に窪む把持部５を備える。この把持部５は、水平な天辺と天辺の左右端部に続く横長の楕円形弧状曲線で囲まれた底面２と、この底面２の天辺に連接された台形の平らな、底面に対して傾斜したひさし３と、ひさしの左右辺と底面の横長の楕円形弧状曲線に連接された、底面に対して傾斜した、左右の幅よりも中央の縦方向の幅が広い、擂鉢面状の曲面部４からなる。【選択図】      図２
2007168809.tif 000002
【特許請求の範囲】
【請求項１】
プラスチックボトル容器の胴面に、プラスチックボトル容器の内方に窪む把持部を備えるプラスチックボトル容器において、前記把持部は、水平な天辺と天辺の左右端部に続く横長の楕円形弧状曲線で囲まれた底面と、この底面の天辺に連接された台形の平らな、底面に対して傾斜したひさしと、ひさしの左右辺と底面の横長の楕円形弧状曲線に連接された、底面に対して傾斜した、左右の幅よりも中央の縦方向の幅が広い、擂鉢面状の曲面部とからなることを特徴とするプラスチックボトル容器。
【請求項２】
プラスチックボトル容器の胴部に、親指と人差し指の間の股部を密着させることができるように広幅に形成されたくびれ部分を設け、把持部をくびれ部分の一部に把持部を連接したことを特徴とする請求項１に記載のプラスチックボトル容器。
【請求項３】
くびれ部分の左右に縦に延びる棒状突起部を設けたことを特徴とする請求項１又は２に記載のプラスチックボトル容器。
【請求項４】
くびれ部分の左右に、プラスチックボトル容器の正面及び背面側のくびれ部分と同様な湾曲だけを有することを特徴とする請求項１又は２に記載のプラスチックボトル容器。
【請求項５】
くびれ部分の左右に内方に凹んだ凹み部分が形成されていることを特徴とする請求項１又は２に記載のプラスチックボトル容器。
【発明の詳細な説明】
【技術分野】
【０００１】
本発明は、プラスチックボトル容器に関し、胴部にプラスチックボトル容器を把持するための把持部を備える、特に容量の大きなプラスチックボトル容器に関する。
【背景技術】
【０００２】
プラスチックボトル容器は、炭酸飲料、果汁飲料、ミネラルウォーター、ウーロン茶、日本茶等の飲料容器として大量に使用されている。また、例えば２リットル程度の大容量のプラスチックボトル容器も使用されている。
このような大容量のプラスチックボトル容器に液体を充填した場合、液体の重さにより、プラスチックボトル容器はかなり重くなる。そのため、プラスチックボトル容器を持ち上げる際には、相当強い力でプラスチックボトル容器の胴部を把持する必要がある。また、胴部を把持する力が強くなると、容器の変形が生じたり、プラスチックボトル容器の胴部を把持した手とプラスチックボトル容器の胴部の間で滑りが生じることがあるため、プラスチックボトル容器を持ち上げにくいことがあった。また、プラスチックボトル容器の胴囲が大きいため、片手でのプラスチックボトル容器の胴部の把持が困難になるという問題があった。
この問題を解決するために、図１に示すように、プラスチックボトル容器の胴部に、複数の斜面７１，７２，７３によって容器内方へ窪む把持部７を設けたプラスチックボトル容器において、前記斜面の一つに、外方に膨らむ凸部７５又は内方に窪む凹部７６を形成したプラスチックボトル容器が提案されている（例えば特許文献１参照）
【特許文献１】特開２００４−２５００６３号公報
【発明の開示】
【発明が解決しようとする課題】
【０００３】
しかしながら、このプラスチックボトル容器は中央の把持部底面７４が細長いために親指とのフィット感が少なく、そのため持ち易さの点で欠けるものであった。
本発明が解決しようとする課題は、プラスチックボトル容器の重量が指に効果的に掛かり、プラスチックボトル容器が指にしっかりと乗ることで持ち易さを向上させた把持部を備えるプラスチックボトル容器を提供するものである。
【課題を解決するための手段】
【０００４】
請求項１に記載の発明は、上記した課題を解決するもので、プラスチックボトル容器の胴面に、プラスチックボトル容器の内方に窪む把持部を備えるプラスチックボトル容器において、前記把持部は、水平な天辺と天辺の左右端部に続く横長の楕円形弧状曲線で囲まれた底面と、この底面の天辺に連接された台形の平らな、底面に対して傾斜したひさしと、ひさしの左右辺と底面の横長の楕円形弧状曲線に連接された、底面に対して傾斜した、左右の幅よりも中央の縦方向の幅が広い、擂鉢面状の曲面部とからなることを特徴とするプラスチックボトル容器を要旨とする。
【０００５】
本発明のプラスチックボトル容器においては、把持部が、水平な天辺と天辺の左右端部に続く横長の楕円形弧状曲線で囲まれた底面と、この底面の天辺に連接された台形の平らな、底面に対して傾斜したひさしと、ひさしの左右辺と底面の横長の楕円形弧状曲線に連接された、底面に対して傾斜した、左右の幅よりも中央の縦方向の幅が広い、擂鉢面状の曲面部とからなり、把持部が、楕円形状に形成されており、プラスチックボトル容器を保持するとき、指先を把持部の底面及び擂鉢面状の曲面部の左右に良く密着させることができるため、プラスチックボトル容器を把持する力が向上する。また、横長の楕円形状に形成されているので、掌のサイズが小さくても、親指が把持部の底面に十分に届く。
【０００６】
また、擂鉢面状の曲面部は、左右の幅よりも中央の縦方向の幅が広く形成されているので、親指が入り易く、しかも、把持の左右から中央部にかけて連続した曲面に形成されているので、機械的強度が強く、把持部の底面が過度に押されて、プラスチックボトル容器内の液体が飛び出すことがなく、また、指を離した後の周面の復元性が良好であり、変形することがない。
【０００７】
本発明のプラスチックボトル容器においては、プラスチックボトル容器の胴部に、親指と人差し指の間の股部を密着させることができるように広幅に形成され、且つ丸みを帯びたくびれ部分が設けられ、把持部はくびれ部分の一部に連接されている。
【０００８】
従来のプラスチックボトル容器においては、胴部のくびれ部分は親指の横幅程度の小幅に形成されており、親指の指先を小幅のくびれ部分に密着させて、指先の力で主にプラスチックボトルのボトル重量を支えていた。此れに対し、本発明においては、くびれ部分を広幅に形成し、しかもくびれ部分は丸みを帯びているので、親指の腹部から掌全体で掌全体を使ってしっかりとプラスチックボトル容器を把持することができる。
【０００９】
本発明のプラスチックボトル容器においては、くびれ部分の左右に、縦に延びる棒状突起部を設けてもよい。また、この棒状突起部はプラスチックボトル容器にかかる軸方向の荷重を支え、容器の座屈変形を防止する役目を果たす。
【００１０】
くびれ部分の左右に棒状突起部が存在することにより、プラスチックボトル容器を把持するとき、掌、特に親指と人差し指の間の股部が棒状突起に密着し、プラスチックボトル容器をしっかり把持することができる。
【００１１】
本発明のプラスチックボトル容器において、くびれ部分の左右に、プラスチックボトル容器の正面及び背面側のくびれ部分と同様な湾曲を設けるだけにしても良い。
【００１２】
このように、くびれ部分の左右に、プラスチックボトル容器の正面及び背面側のくびれ部分と同様な湾曲を設けるだけにすることにより、プラスチックボトル容器を把持するとき、掌、特に親指と人差し指の間の股部が湾曲部に密着し、プラスチックボトル容器をしっかり把持することができる。
【００１３】
本発明のプラスチックボトル容器において、くびれ部分の左右に内方に凹んだ凹み部分を設けてもよい。
【００１４】
くびれ部分の左右に凹み部分が設けられていることにより、くぼみ部分の左右のくぼみ部分がプラスチックボトル容器の周方向に変形し易くなり、その結果掌、特に親指と人差し指の間の股部がくぼみ部分により密着し易くなり、プラスチックボトル容器をしっかり把持することができる。
【００１５】
把持部は、プラスチックボトル容器の胴部の周方向全周に設けた環状くびれ部の一部に設ける。把持部は、プラスチックボトル容器の正面側にのみ設けてもよく、或いは正面側及び背面側の両側に設けてもよいが、持ち易さの点から正面側及び背面側の両側に設けるのが望ましい。
【発明の効果】
【００１６】
本発明のプラスチックボトル容器は、プラスチックボトル容器の胴面に、プラスチックボトル容器の内方に窪む把持部を備えるプラスチックボトル容器において、前記把持部は、水平な天辺と天辺の左右端部に続く横長の楕円形弧状曲線で囲まれた底面と、この底面の天辺に連接された台形の平らな、底面に対して傾斜したひさしと、ひさしの左右辺と底面の横長の楕円形弧状曲線に連接された、底面に対して傾斜した、左右の幅よりも中央の縦方向の幅が広い、擂鉢面状の曲面部とからなることを特徴とし、把持部が、楕円形状に形成されており、プラスチックボトル容器を保持するとき、指先を把持部の底面及び擂鉢面状の曲面部に良く密着させることができるため、プラスチックボトル容器を把持する力が向上する。また、横長の楕円形状に形成されているので、掌のサイズが小さくても、親指が把持部の底面に十分に届く利点を有する。また、擂鉢面状の曲面部は、左右の幅よりも中央の縦方向の幅が広く形成されているので、親指が入り易く、しかも、把持の左右から中央部にかけて連続した曲面に形成されているので、機械的強度が強く、把持部の底面が過度に押されて、プラスチックボトル容器内の液体が飛び出すことがなく、また、指を離した後の周面の復元性が良好であり、変形することがない利点を有する。更に、従来と違って、くびれ部分を広幅に形成し、しかもくびれ部分は丸みを持たせることにより、親指の腹部から掌全体で掌全体を使ってしっかりとプラスチックボトル容器を把持することができる。
【発明を実施するための最良の形態】
【００１７】
次に図面を用いて本発明を実施するための最良の形態について説明する。
【００１８】
図２乃至図６は本発明のプラスチックボトル容器の第１の実施の形態を示す。図２は本発明のプラスチックボトル容器の第１の実施の形態の正面図である。図３は本発明のプラスチックボトル容器の第１の実施の形態の側面図である。図４は図１に示すＡ−Ａ線に沿って切断して示す断面図である。図５は図１に示すＢ−Ｂ線で切断して示す断面図である。図６は本発明のプラスチックボトル容器の第１の実施の形態の斜視図である。
【００１９】
本発明のプラスチックボトル容器１の第１の実施の形態は、図２乃至図６に示すように、プラスチックボトル容器１の胴面に周方向全周に形成した環状くびれ部６に形成した、プラスチックボトル容器１の内方に窪む把持部５を備える。この把持部５は、水平な天辺と天辺の左右端部に続く横長の楕円形弧状曲線で囲まれた底面２と、この底面２の天辺に連接された台形の平らな、底面に対して傾斜したひさし３と、ひさし３の左右辺と底面２の横長の楕円形弧状曲線に連接された、底面２に対して傾斜した、左右の幅よりも中央の縦方向の幅が広い、擂鉢面状の曲面部４とからなる。
【００２０】
本発明のプラスチックボトル容器１においては、把持部５が、水平な天辺と天辺の左右端部に続く横長の楕円形弧状曲線で囲まれた底面２と、この底面２の天辺に連接された台形の平らな、底面に対して傾斜したひさし３と、ひさしの左右辺と底面の横長の楕円形弧状曲線に連接された、底面に対して傾斜した、左右の幅よりも中央の縦方向の幅が広い、擂鉢面状の曲面部４とからなり、把持部５が、楕円形状に形成されており、プラスチックボトル容器１を保持するとき、指先を把持部５の底面２及び擂鉢状の曲面部４の左右に良く密着させることができるため、プラスチックボトル容器１を把持する力が向上する。また、横長の楕円形状に形成されているので、掌のサイズが小さくても、親指が把持部５の底面４に十分に届く。また、把持部５は、左右対称の形状を有するので左右の何れの方向からも指を把持部５にしっかり密着させることができる。
【００２１】
また、擂鉢面状の曲面部は、左右の幅よりも中央の縦方向の幅が広く形成されているので、親指が入り易く、しかも、把持の左右から中央部にかけて連続した曲面に形成されているので、機械的強度が強く、把持部の底面が過度に押されて、プラスチックボトル容器内の液体が飛び出すことがなく、また、指を離した後の周面の復元性が良好であり、変形することがない。
【００２２】
本発明のプラスチックボトル容器１においては、くびれ部分６は、プラスチックボトル容器１の胴部に、従来と異なり、親指と人差し指の間の股部を密着させることができるように広幅に形成され、且つ丸みを帯びたくびれ部分が設けられ、そして、把持部はくびれ部分の一部に連接されている。それ故、親指の腹部から掌全体で掌全体を使ってしっかりとプラスチックボトル容器を把持することができる。
【００２３】
本発明のプラスチックボトル容器１においては、くびれ部分６の左右に、縦に延びる棒状突起部７を設けてもよい。
【００２４】
くびれ部分６の左右に棒状突起部７が存在することにより、プラスチックボトル容器１を把持するとき、掌、特に親指と人差し指の間の股部が棒状突起に密着し、プラスチックボトル容器をしっかり把持することができる。また、この棒状突起部はプラスチックボトル容器にかかる軸方向の荷重を支え、容器の座屈変形を防止する役目を果たす。
【００２５】
図７乃至図１１は本発明のプラスチックボトル容器の第２の実施の形態を示す。図７は本発明のプラスチックボトル容器の第２の実施の形態の正面図である。図８は本発明のプラスチックボトル容器の第２の実施形の態の側面図である。図９は図７に示すＡ−Ａ線に沿って切断して示す断面図である。図１０は図７に示すＢ−Ｂ線で切断して示す断面図である。図１１は本発明のプラスチックボトル容器の第２の実施の形態の斜視図である。
【００２６】
本発明のプラスチックボトル容器１の第２の実施の形態は、図２乃至図６に示す第１の実施の形態と同様に、プラスチックボトル容器１の胴面に周方向全周に形成した環状くびれ部６に形成した、プラスチックボトル容器１の内方に窪む把持部５を備える。この把持部５は、水平な天辺と天辺の左右端部に続く横長の楕円形弧状曲線で囲まれた底面２と、この底面２の天辺に連接された台形の平らな、底面に対して傾斜したひさし３と、ひさし３の左右辺と底面２の横長の楕円形弧状曲線に連接された、底面２に対して傾斜した、左右の幅よりも中央の縦方向の幅が広い、擂鉢面状の曲面部４とからなる。また、把持部５は、左右対称の形状を有するので左右の何れの方向からも指を把持部５にしっかり密着させることができる。
この第２の実施の形態においては、くびれ部分６の左右に、プラスチックボトル容器の正面及び背面側のくびれ部分と同様な湾曲８が設けられているだけである。
【００２７】
このように、くびれ部分の左右に、プラスチックボトル容器の正面及び背面側のくびれ部分６と同様な湾曲８を設けるだけにすることにより、プラスチックボトル容器を把持するとき、掌、特に親指と人差し指の間の股部が湾曲部に密着し、プラスチックボトル容器をしっかり把持することができる。
【００２８】
また、この第２の実施の形態は、第１の実施の形態１と同様に、段落２０乃至段落２２に記載したような作用を奏する。
【００２９】
図１２乃至図１６は本発明のプラスチックボトル容器の第３の実施の形態を示す。図１２は本発明のプラスチックボトル容器の第３の実施の形態の正面図である。図１３は本発明のプラスチックボトル容器の第３の実施の形態の側面図である。図１４は図１２に示すＡ−Ａ線に沿って切断して示す断面図である。図１５は図１２に示すＢ−Ｂ線で切断して示す断面図である。図１６は本発明のプラスチックボトル容器の第３の実施の形態の斜視図である。
【００３０】
本発明のプラスチックボトル容器１の第３の実施の形態は、図２乃至図６に示す第１の実施の形態と同様に、プラスチックボトル容器１の胴面に周方向全周に形成した環状くびれ部６に形成した、プラスチックボトル容器１の内方に窪む把持部５を備える。この把持部５は、水平な天辺と天辺の左右端部に続く横長の楕円形弧状曲線で囲まれた底面２と、この底面２の天辺に連接された台形の平らな、底面に対して傾斜したひさし３と、ひさし３の左右辺と底面２の横長の楕円形弧状曲線に連接された、底面２に対して傾斜した、左右の幅よりも中央の縦方向の幅が広い、擂鉢面状の曲面部４とからなる。また、把持部５は、左右対称の形状を有するので左右の何れの方向からも指を把持部５にしっかり密着させることができる。
この第３の実指の形態においては、くびれ部分６の左右に内方に窪んだ凹み部分９が設けられている。
【００３１】
この第３の実施の形態は、くびれ部分６の凹み部分９が存在することにより、プラスチックボトル容器１を把持するとき、掌、特に親指と人差し指の間の股部が平面部に密着し、プラスチックボトル容器をしっかり把持することができる利点を有する。
【００３２】
また、この第３の実施の形態は、実施の形態１と同様に、段落２０乃至段落２２に記載したような作用を奏する。
【００３３】
本発明のプラスチックボトル容器１は、通常のプラスチックボトル容器の成形法により成形することができる。例えば、プリフォームを延伸ブロー成形することにより得ることができる。
【００３４】
本発明において、プラスチックボトル容器を形成する材料としては、例えばポリエチレンテレフタレート、ポリブチレンテレフタレート、ポリエチレンナフタレート、ポリカーボネート、ポリアリレート、又はこれらの共重合体等の熱可塑性ポリエステル、これらの樹脂或いは他の樹脂とのブレンド物が好適であり、特にポリエチレンテレフタレート等のエチレンテレフタレート系ポリエステルがを好適に使用することができる。また、アクリロニトリル樹脂、ポリプロピレン、プロピレン−エチレン共重合体、ポリエチレン等も使用することができる。
【００３５】
本発明は、上記の第１乃至第３の実施の形態に限定されるものではなく、図１７に第３の実施の形態の変形として例示するように、多数のリブ１０を備えるプラスチックボトル容器にも適用することができる。尚、図１７において１１は意匠的にプラスチックボトル容器に設けた凹部を示す。
【産業上の利用可能性】
【００３６】
本発明は、胴部にボトル容器を把持するための把持部を備える、特に容量の大きい、例えば２ｌ程度の、炭酸飲料、果汁飲料、ミネラルウォーター、ウーロン茶、日本茶等の飲料容器に利用することができる。
【図面の簡単な説明】
【００３７】
【図１】特許文献１に記載の把持部を正面図である。
【図２】本発明のプラスチックボトル容器の第１の実施の形態の正面図である。
【図３】本発明のプラスチックボトル容器の第１の実施の形態の側面図である。
【図４】図１に示すＡ−Ａ線に沿って切断して示す断面図である。
【図５】図１に示すＢ−Ｂ線に沿って切断して示す断面図である。
【図６】本発明のプラスチックボトル容器の第１の実施の形態の斜視図である。
【図７】本発明のプラスチックボトル容器の第２の実施の形態の正面図である。
【図８】本発明のプラスチックボトル容器の第２の実施の形態の側面図である。
【図９】図７に示すＡ−Ａ線に沿って切断して示す断面図である。
【図１０】図７に示すＢ−Ｂ線に沿って切断して示す断面図である。
【図１１】本発明のプラスチックボトル容器の第２の実施の形態の斜視図である。
【図１２】本発明のプラスチックボトル容器の第３の実施の形態の正面図である。
【図１３】本発明のプラスチックボトル容器の第３の実施の形態の側面図である。
【図１４】図１２に示すＡ−Ａ線に沿って切断して示す断面図である。
【図１５】図１２に示すＢ−Ｂ線に沿って切断して示す断面図である。
【図１６】本発明のプラスチックボトル容器の第３の実施の形態の斜視図である。
【図１７】本発明のプラスチックボトル容器の別の実施の形態を示す斜視図である。
【符号の説明】
【００３８】
１    プラスチックボトル容器
２    底面
３    ひさし
４    擂鉢面状の曲面部
５    把持部
６    くびれ部分
７    棒状突起
８    湾曲
９    凹み部分
１０  リブ
【図１】
2007168809.tif 000003
【図２】
2007168809.tif 000004
【図３】
2007168809.tif 000005
【図４】
2007168809.tif 000006
【図５】
2007168809.tif 000007
【図６】
2007168809.tif 000008
【図７】
2007168809.tif 000009
【図８】
2007168809.tif 000010
【図９】
2007168809.tif 000011
【図１０】
2007168809.tif 000012
【図１１】
2007168809.tif 000013
【図１２】
2007168809.tif 000014
【図１３】
2007168809.tif 000015
【図１４】
2007168809.tif 000016
【図１５】
2007168809.tif 000017
【図１６】
2007168809.tif 000018
【図１７】
2007168809.tif 000019